(57)【要約】本発明にかかる情報処理装置（１０）は、複数の無線端末（３１〜３４）ごとに測定された信号の受信情報を示す複数のＲＦ実測情報（１０４６）と、複数の局所領域ごとに任意の無線端末における受信情報として予測された複数のＲＦ予測情報（１０４５）と、を照合する照合手段（１１）と、複数の実測情報のうち予測情報と所定の範囲内である実測情報が測定された無線端末の数を、複数の局所領域ごとに集計する集計手段（１２）と、を備える。
2015029282.tif 000002
【特許請求の範囲】
【請求項１】
複数の無線端末ごとに測定された信号の受信情報を示す複数の実測情報と、複数の局所領域ごとに任意の前記無線端末における前記受信情報として予測された複数の予測情報と、を照合する照合手段と、
前記複数の実測情報のうち前記予測情報と所定の範囲内である実測情報が測定された前記無線端末の数を、前記複数の局所領域ごとに集計する集計手段と、
を備える情報処理装置。
【請求項２】
前記受信情報は、複数の種類の実測値の組み合わせであり、
前記照合手段は、
前記複数の実測情報と前記複数の予測情報との間で、前記組み合わせの一致度合いに基づき、前記予測情報が前記実測情報の所定の範囲内であるか否かを判定する
請求項１に記載の情報処理装置。
【請求項３】
前記実測情報は、前記無線端末当たりに前記受信情報が測定された前記複数のセルと、各セルにおける前記受信情報との組み合わせを含み、
前記予測情報は、前記局所領域当たりに任意の前記無線端末と送受信可能であると予測された複数のセルと、各セルにおける前記受信情報との組み合わせを含み、
前記照合手段は、
前記複数の予測情報と前記複数の実測情報との間で、前記複数のセルの組み合わせが一致し、かつ、当該一致するセル同士のそれぞれに対応する前記受信情報の一致度合いに基づき、前記予測情報が前記実測情報の所定の範囲内であるか否かを判定する
請求項１又は２に記載の情報処理装置。
【請求項４】
前記集計手段は、
前記複数の実測情報のうち前記予測情報と所定の範囲内である実測情報における前記無線端末を、当該予測情報における前記局所領域に対応付け、
前記複数の局所領域ごとに、前記対応付けられた前記無線端末の数を集計する
請求項１乃至３のいずれか１項に記載の情報処理装置。
【請求項５】
前記受信情報は、ＲＳＲＰ（Reference Symbol Received Power）、ＲＳＲＱ（Reference Symbol Received Quality）又はＲＳＳＩ（Received Signal Strength Indicator）の少なくともいずれかを含む、
請求項１乃至４のいずれか１項に記載の情報処理装置。
【請求項６】
前記複数の実測情報を、前記複数の無線端末のそれぞれから収集する収集手段、をさらに備え、
前記照合手段は、
前記収集手段により収集された前記複数の実測情報と、前記複数の予測情報と、を照合する
請求項１乃至５のいずれか１項に記載の情報処理装置。
【請求項７】
前記複数の局所領域ごとに任意の前記無線端末における前記受信情報を前記複数の予測情報として予測する予測手段と、をさらに備え、
前記照合手段は、
前記複数の実測情報と、前記予測手段により予測された前記複数の予測情報と、を照合する
請求項１乃至６のいずれか１項に記載の情報処理装置。
【請求項８】
複数の無線端末と、
前記複数の無線端末の少なくもいずれかと通信可能な複数の基地局と、
前記複数の基地局と通信可能な情報処理装置と、を備え、
前記情報処理装置は、
前記複数の無線端末ごとに測定された信号の受信情報を示す複数の実測情報と、複数の局所領域ごとに任意の前記無線端末における前記受信情報として予測された複数の予測情報と、を照合する照合手段と、
前記複数の実測情報のうち前記予測情報と所定の範囲内である実測情報が測定された前記無線端末の数を、前記複数の局所領域ごとに集計する集計手段と、を備える
無線通信システム。
【請求項９】
情報処理装置を用いて複数の無線端末の位置を推定する端末位置推定方法であって、
前記情報処理装置が、
複数の無線端末ごとに測定された信号の受信情報を示す複数の実測情報と、複数の局所領域ごとに任意の前記無線端末における前記受信情報として予測された複数の予測情報と、を照合し、
前記複数の実測情報のうち前記予測情報と所定の範囲内である実測情報が測定された前記無線端末の数を、前記複数の局所領域ごとに集計する、
端末位置推定方法。
【請求項１０】
複数の無線端末ごとに測定された信号の受信情報を示す複数の実測情報と、複数の局所領域ごとに任意の前記無線端末における前記受信情報として予測された複数の予測情報と、を照合する照合処理と、
前記複数の実測情報のうち前記予測情報と所定の範囲内である実測情報が測定された前記無線端末の数を、前記複数の局所領域ごとに集計する集計処理と、
をコンピュータに実行させる端末位置推定プログラムが格納された非一時的なコンピュータ可読媒体。
【発明の詳細な説明】
【技術分野】
【０００１】
本発明は、情報処理装置、無線通信システム、端末位置推定方法及び端末位置推定プログラムに関し、特に、局所領域単位の端末数を推定する情報処理装置、無線通信システム、端末位置推定方法及び端末位置推定プログラムに関する。
【背景技術】
【０００２】
基地局を増設する際には、増設場所を決定するため、既存の基地局の処理負荷が高いセル内でのＨｏｔｓｐｏｔ（端末数が多く、トラフィック量の多いエリア）を特定することが必要である。効率的な増設プランを作成するためである。【０００３】
特許文献１には、遠隔通信ネットワークを動的に構成するための方法及びシステムに関する技術が開示されている。特許文献１にかかる方法は、信号対雑音比を予測し、セル負荷率に応じてネットワークセルを動的に再構成する。【０００４】
特許文献２には、理論シミュレーションを実測値で補正することにより無線伝搬を推定し、その結果から基地局装置の送信電力を決定する無線通信システム等に関する技術が開示されている。【０００５】
特許文献３には、管理サーバ等が複数のアクセスポイントや端末から負荷情報を取得し、負荷状況評価のために予め定められた評価値を算出し、この評価値が最小となるように、各セルの負荷状況の制御を行う技術が開示されている。【０００６】
特許文献４には、基地局サービスエリア内で既知の固定場所に複数の更新センタを配置し、各更新センタが、判定された基地局のリアルタイムＲＦ測定値と共に、予め基準化された各更新センタ自身の場所情報を、少なくとも一つの移動体ユニットと協力してロケーションデータバンクに送信する技術が開示されている。
【先行技術文献】
【特許文献】
【０００７】
【特許文献１】特表２０１１−５１９５２０号公報
【特許文献２】特開２０１１−０１９１０９号公報
【特許文献３】特開２００５−１１７３５７号公報
【特許文献４】特開平０８−１８２０３５号公報
【発明の概要】
【発明が解決しようとする課題】
【０００８】
上述の特許文献１では、セル単位での負荷情報、例えば、セル単位での端末数の検出が行われている。しかしながら、特許文献１では、セル内でのＨｏｔｓｐｏｔ、つまり実端末が多く存在する局所領域の特定ができない。また、特許文献３もアクセスポイント単位の負荷情報を扱うものであり、同様といえる。【０００９】
ここで、Ｈｏｔｓｐｏｔの特定方法としては、ＧＰＳ（Global Positioning System）や、外部情報もしくは現地調査（例えば、走行試験）による人口密集度を確認することにより想定する方法などが挙げられる。【００１０】
しかしながら、ＧＰＳによる位置情報の収集等によるＨｏｔｓｐｏｔの特定方法は、無線端末の機能及び設定に依存する。そのため、オペレータ側で制御できず、ＧＰＳが搭載されている端末、かつ、利用可能状態にある端末からしか、位置情報を収集できない。例えば、特許文献２は、移動体端末が実測点の位置を取得する機能を有する必要がある。また、特許文献４は、更新センタが自身の場所情報を送信する機能を有する必要がある。そのため、これらの実現のためには、予め位置情報を収集する機能を有する無線端末を用いるか、無線端末に位置情報を収集する機能を追加するか、設定を変更する等を要するという問題点がある。【００１１】
また、人口密集度の確認によるＨｏｔｓｐｏｔの想定等によるＨｏｔｓｐｏｔの特定方法は、走行試験などで人手を伴うため手間がかかる上に想定精度が低いという問題点がある。【００１２】
以上の理由により、無線端末の特定の機能に依存せず効率良く端末数の多いスポットを特定することができないという問題点がある。【００１３】
本発明は、このような問題点を解決するためになされたものであり、無線端末の特定の機能に依存せずに、効率よく無線端末の位置情報を抽出するための情報処理装置、無線通信システム、端末位置推定方法及び端末位置推定プログラムを提供することを目的とする。
【課題を解決するための手段】
【００１４】
本発明の第１の態様にかかる情報処理装置は、
複数の無線端末ごとに測定された信号の受信情報を示す複数の実測情報と、複数の局所領域ごとに任意の前記無線端末における前記受信情報として予測された複数の予測情報と、を照合する照合手段と、
前記複数の実測情報のうち前記予測情報と所定の範囲内である実測情報が測定された前記無線端末の数を、前記複数の局所領域ごとに集計する集計手段と、
を備える。【００１５】
本発明の第２の態様にかかる無線通信システムは、
複数の無線端末と、
前記複数の無線端末の少なくもいずれかと通信可能な複数の基地局と、
前記複数の基地局と通信可能な情報処理装置と、を備え、
前記情報処理装置は、
前記複数の無線端末ごとに測定された信号の受信情報を示す複数の実測情報と、複数の局所領域ごとに任意の前記無線端末における前記受信情報として予測された複数の予測情報と、を照合する照合手段と、
前記複数の実測情報のうち前記予測情報と所定の範囲内である実測情報が測定された前記無線端末の数を、前記複数の局所領域ごとに集計する集計手段と、を備える。【００１６】
本発明の第３の態様にかかる端末位置推定方法は、
情報処理装置を用いて複数の無線端末の位置を推定する端末位置推定方法であって、
前記情報処理装置が、
複数の無線端末ごとに測定された信号の受信情報を示す複数の実測情報と、複数の局所領域ごとに任意の前記無線端末における前記受信情報として予測された複数の予測情報と、を照合し、
前記複数の実測情報のうち前記予測情報と所定の範囲内である実測情報が測定された前記無線端末の数を、前記複数の局所領域ごとに集計する。【００１７】
本発明の第４の態様にかかる端末位置推定プログラムは、
複数の無線端末ごとに測定された信号の受信情報を示す複数の実測情報と、複数の局所領域ごとに任意の前記無線端末における前記受信情報として予測された複数の予測情報と、を照合する照合処理と、
前記複数の実測情報のうち前記予測情報と所定の範囲内である実測情報が測定された前記無線端末の数を、前記複数の局所領域ごとに集計する集計処理と、
をコンピュータに実行させる。
【発明の効果】
【００１８】
本発明により、無線端末の特定の機能に依存せずに、効率よく無線端末の位置情報を抽出するための情報処理装置、無線通信システム、端末位置推定方法及び端末位置推定プログラムを提供することができる。
【図面の簡単な説明】
【００１９】
【図１】本発明の実施の形態１にかかる無線通信システムの全体構成を示すブロック図である。
【図２】本発明の実施の形態１にかかる情報処理装置の構成を示すブロック図である。
【図３】本発明の実施の形態１にかかるＲＦ予測情報の例を示す図である。
【図４】本発明の実施の形態１にかかるＲＦ実測情報の例を示す図である。
【図５】本発明の実施の形態１にかかる端末位置推定処理の流れを示すフローチャートである。
【図６】本発明の実施の形態１にかかる端末位置推定処理の概念を示す図である。
【発明を実施するための形態】
【００２０】
以下では、本発明を適用した具体的な実施の形態について、図面を参照しながら詳細に説明する。各図面において、同一要素には同一の符号が付されており、説明の明確化のため、必要に応じて重複説明は省略する。
【００２１】
＜発明の実施の形態１＞
図１は、本発明の実施の形態１にかかる無線通信システム１００の全体構成を示すブロック図である。無線通信システム１００は、情報処理装置１０と、基地局２１〜２３と、無線端末３１〜３４とを備える。情報処理装置１０と基地局２１〜２３とは、ネットワークＮを介して接続され、相互に通信可能である。また、無線端末３１〜３４のそれぞれは、少なくとも基地局２１〜２３のいずれかと無線通信が可能であるものとする。無線端末３１〜３４は、ユーザ端末（ＵＥ）と呼ぶこともできる。尚、基地局２１〜２３の数、及び、無線端末３１〜３４の数は、これらに限定されない。
【００２２】
また、基地局２１〜２３及び無線端末３１〜３４は、一般的な機能を有するものであればよく、公知の技術を用いて実現可能であるため、詳細な説明を省略する。但し、無線端末３１〜３４には、ＧＰＳ等の位置情報を取得及び送信する機能を有さないものを含むものとする。
【００２３】
また、以下の説明において、「セル(cell)」は、１つの基地局がカバーする通信可能領域（サービスエリア）を指すものとする。そして、「局所領域」は、セル内の一部の領域であるものとする。つまり、局所領域はサービスエリアより狭い。また、ある局所領域内に位置する無線端末は、複数の基地局のセルの電波を受信し、それらの受信品質を測定することが可能であるものとする。
【００２４】
情報処理装置１０は、少なくとも照合手段１１及び集計手段１２を備える。照合手段１１は、複数の実測情報と、複数の予測情報とを照合する。ここで、複数の実測情報とは、無線端末３１〜３４ごとに測定された信号の受信情報を示す。また、複数の予測情報とは、複数の局所領域ごとに任意の前記無線端末における信号の受信情報として予測された情報を示す。集計手段１２は、複数の実測情報のうち予測情報と所定の範囲内である実測情報が測定された無線端末の数を、複数の局所領域ごとに集計する。
【００２５】
これにより、各無線端末の位置情報を用いずに、予測情報と実測情報を用いることで、セル内の一部である局所領域ごとの無線端末数を推定することができる。つまり、無線端末の特定の機能（例えば、ＧＰＳ等）に依存せずに、効率よく無線端末の位置情報を抽出することができる。そのため、Ｈｏｔｓｐｏｔの特定が可能となり、効率的な増設プランを作成することができる。
【００２６】
例えば、本発明の実施の形態によれば、実端末数のエリア（局所領域）分布をネットワーク側で把握するため、ＲＦシミュレーション結果（ＲＦカバレッジ推定プログラム）によるＲＦ予測情報と、実端末が報告するＲＦ実測情報とを照会することによって、各局所領域に存在する端末数を推定することができる。
【００２７】
ここで、情報処理装置１０は、例えば、Ｏ＆Ｍ（Operation and Maintenance）サーバとしてのＲＦ（Radio Frequency）シミュレーションサーバ及びデータベースを含むものとしてもよい。または、情報処理装置１０は、ＳＯＮ（Self Organization Network）サーバ、ＥＭＳ(Element Management System)（Ｏ＆Ｍ）又はｅＮｏｄｅＢ（Ｘ２インターフェース用いるもの）その他のサーバであってもよい。但し、情報処理装置１０の例はこれらに限定されない。
【００２８】
そして、これらの場合、情報処理装置１０は、以下の構成を備えるものとする。すなわち、情報処理装置１０は、複数の実測情報を、無線端末３１〜３４のそれぞれから収集する収集手段（不図示）、をさらに備える。この場合、照合手段１１は、前記収集手段により収集された複数の実測情報と、複数の予測情報と、を照合する。また、情報処理装置１０は、複数の局所領域ごとに任意の無線端末における受信情報を複数の予測情報として予測する予測手段と、をさらに備える。この場合、照合手段１１は、複数の実測情報と、前記予測手段により予測された複数の予測情報と、を照合する。尚、収集手段及び予測手段は、必ずしも必須ではなく、いずれか一方でもよい。その場合、実測情報又は実測情報が予め情報処理装置１０に与えられていればよい。
【００２９】
図２は、本発明の実施の形態１にかかる情報処理装置１０の構成を示すブロック図である。情報処理装置１０は、ＣＰＵ（Ｃｅｎｔｒａｌ  Ｐｒｏｃｅｓｓｉｎｇ  Ｕｎｉｔ）１０１と、メモリ１０２と、通信部１０３と、ハードディスク１０４とを備える。
【００３０】
ハードディスク１０４は、不揮発性記憶装置である。ハードディスク１０４は、ＯＳ（不図示）、プログラム１０４１、セル情報１０４２、局所領域情報１０４３、端末１０４４、ＲＦ予測情報１０４５及びＲＦ実測情報１０４６等を格納する。ここで、プログラム１０４１は、本発明の実施の形態１にかかる端末位置推定処理（例えば、後述する図５の処理）等が実装されたコンピュータプログラムである。尚、ハードディスク１０４は、プログラム１０４１とは別に、ＲＦカバレッジ推定プログラム等のＲＦシミュレーションプログラム（不図示）を格納してもよい。
【００３１】
セル情報１０４２は、基地局２１〜２３やセルに関する情報（セルＩＤを含む）である。局所領域情報１０４３は、ＡｒｅａＩＤ、緯度、経度等を含む局所領域（spot）に関する情報である。端末情報１０４４は、無線端末３１〜３４に関する情報（端末ＩＤ等を含む）である。ＲＦ予測情報１０４５は、上述した予測情報の一例である。ＲＦ実測情報１０４６は、上述した実測情報の一例である。
【００３２】
ＣＰＵ１０１は、情報処理装置１０における各種処理、メモリ１０２、通信部１０３及びハードディスク１０４へのアクセス等を制御する。通信部１０３は、ネットワークＮを介した外部との通信を行う。
【００３３】
情報処理装置１０は、ＣＰＵ１０１が、メモリ１０２又はハードディスク１０４に格納されたＯＳ、プログラム１０４１等を読み込み、実行する。これにより、情報処理装置１０は、端末位置推定処理等を実現することができる。
【００３４】
図１に戻り説明を続ける。以下では、情報処理装置１０がＲＦシミュレーションサーバであるものとして説明する。ＲＦシミュレーションサーバは、基地局の位置や送信出力等の設定を用いたシミュレーションを実行し、各局所領域でのＲＦ予測情報（予測情報の一例）をデータベースに持つ。シミュレーションで得られるＲＦ予測情報とは、各局所領域で受信するセルのＲＳＲＰ（Reference Symbol Received Power）、ＲＳＲＱ（Reference Symbol Received Quality）又はＲＳＳＩ（Received Signal Strength Indicator）の少なくともいずれかを含み、これらの組み合わせであるとよい。また、干渉レベルであるＳＩＮＲ（Signal to Interference plus Noise Ratio）を含めても構わない。つまり、上述した受信情報としは、複数の種類の実測値の組み合わせとしてもよく、その種類としては、例えば、ＲＳＲＰ、ＲＳＲＱ、ＲＳＳＩ又はＳＩＮＲを含めることができる。
【００３５】
また、ＲＦ予測情報には、局所領域当たりに任意の前記無線端末と送受信可能であると予測された複数のセルと、各セルにおける前記受信情報との組み合わせを含むものであってもよい。
【００３６】
図３は、本発明の実施の形態１にかかるＲＦ予測情報の例を示す図である。例えば、局所領域Ａ（Ａｒｅａ  ＃０００１０、緯度１１．１１１１、経度３３．３３３３）で測定されるセル（Ｃｅｌｌ−ＩＤ＝１１、１２、１３、１４）のそれぞれで、ＲＳＲＰ、ＲＳＲＱ、ＲＳＳＩ等のＲＦ情報の組み合わせを予測し、データベースに格納する。局所領域の情報は上記のように緯度経度情報の他、一定のエリア区間を定義して使用してもよい。
【００３７】
また、ＲＦ実測情報には、無線端末当たりに受信情報が測定された複数のセルと、各セルにおける受信情報との組み合わせを含むものであってもよい。図４は、本発明の実施の形態１にかかるＲＦ実測情報の例を示す図である。例えば、ある無線端末では、複数のセル（Ｃｅｌｌ−ＩＤ＝１１、１２、１３、１４）から信号の受信が可能であり、それぞれのセルにおけるＲＳＲＰ、ＲＳＲＱ及びＲＳＳＩを測定する。
【００３８】
つまり、無線端末３１〜３４のそれぞれは、現在存在する地点で送受信可能な複数の基地局から信号を受信し、セルごとにＲＦ実測値情報を測定する。そして、無線端末３１〜３４のそれぞれは、現在所属している基地局に対して、ＲＦ実測値情報を送信する。尚、無線端末３１〜３４のそれぞれは、ＲＦ実測値情報の送信時に併せて自己の端末ＩＤ等も送信することとなる。基地局２１〜２３のそれぞれは、無線端末３１〜３４のそれぞれから送信されるＲＦ実測値情報（セルＩＤ、ＲＳＲＰ、ＲＳＲＱ、ＲＳＳＩ等）を受信し、定期的にＲＦシミュレーションサーバに通知する。ＲＦシミュレーションサーバは、無線端末３１〜３４のそれぞれから報告されたＲＦ実測情報を基地局２１〜２３のいずれかを経由して定期的に受信する。
【００３９】
図５は、本発明の実施の形態１にかかる端末位置推定処理の流れを示すフローチャートである。まず、ＲＦシミュレーションサーバは、局所領域ごとにＲＦ予測情報を算出する（Ｓ１０１）。例えば、ＲＦシミュレーションサーバ（例えば、上述した予測手段）は、基地局の位置や送信出力等の設定に基づき、所定のＲＦシミュレーションを実行する。そして、ＲＦシミュレーションサーバは、その結果を局所領域ごとのＲＦ予測情報１０４５としてデータベース（ハードディスク１０４）に格納する。
【００４０】
一方で、基地局２１〜２３のそれぞれは、各無線端末から報告されるＲＦ実測値情報（受信セル毎のＲＳＲＰ、ＲＳＲＱ、ＲＳＳＩ等）を受信し、これを定期的にＲＦシミュレーションサーバに通知する。すなわち、ＲＦシミュレーションサーバ（例えば、上述した収集手段）は、各無線端末からのＲＦ実測値情報を基地局経由で収集する（Ｓ１０２）。このとき、ＲＦシミュレーションサーバは、収集したＲＦ実測値情報を無線端末ごとのＲＦ実測情報１０４６としてデータベース（ハードディスク１０４）に格納してもよい。
【００４１】
その後、ＲＦシミュレーションサーバ（照合手段１１）は、ハードディスク１０４を参照し、ＲＦ予測情報とＲＦ実測情報とを照合する（Ｓ１０３）。特に、照合手段１１は、
ＲＦ予測情報とＲＦ実測情報との間で、受信情報（ＲＳＲＰ、ＲＳＲＱ、ＲＳＳＩ等）の組み合わせの一致度合いに基づき、ＲＦ予測情報がＲＦ実測情報の所定の範囲内であるか否かを判定する。
【００４２】
また、照合手段１１は、ＲＦ予測情報とＲＦ実測情報との間で、複数のセルの組み合わせが一致し、かつ、当該一致するセル同士のそれぞれに対応する受信情報（ＲＳＲＰ、ＲＳＲＱ、ＲＳＳＩ等）の一致度合いに基づき、ＲＦ予測情報がＲＦ実測情報の所定の範囲内であるか否かを判定する。これにより、無線端末が存在する局所領域の特定の精度が向上する。
【００４３】
尚、一致度合いとしては、受信情報の各値（ＲＳＲＰ、ＲＳＲＱ、ＲＳＳＩ等）が完全に一致する場合、一部が一致する場合、各値の差分が所定値以内である場合等、一致していると類推できる範囲であればよい。統計的な手法を用いても構わない。
【００４４】
そして、ＲＦシミュレーションサーバ（集計手段１２）は、ＲＦ予測情報とＲＦ実測情報とが所定範囲内である局所領域と端末を対応付ける（Ｓ１０４）。その後、ＲＦシミュレーションサーバ（集計手段１２）は、局所領域ごとに端末数を集計する（Ｓ１０５）。すなわち、集計手段１２は、複数のＲＦ実測情報のうちＲＦ予測情報と所定の範囲内であるＲＦ実測情報における無線端末を、当該ＲＦ予測情報における局所領域に対応付け、複数の局所領域ごとに、対応付けられた無線端末の数を集計する。
【００４５】
言い換えると、ＲＦシミュレーションサーバは、上記組み合わせが合致するもの、又は類推できる情報を特定することで、端末の位置を推定する。また、推定された端末を各局所領域毎に合算することで、局所領域毎の端末数を予測する。
【００４６】
尚、端末位置推定処理は、無線端末からのＲＦ実測情報の収集直後に実行される必要はなく、一定時間ごとに実行しても良い。また、各無線端末は、発着信時その他イベント発生時にＲＦ実測情報を送信してもよい。または、各無線端末は、定期的にＲＦ実測情報を送信してもよい。さらに、ＲＦシミュレーションサーバは、各無線端末に対して基地局経由でＲＦ実測情報の送信要求を行い、これに応じて各無線端末がＲＦ実測情報を送信してもよい。
【００４７】
図６は、本発明の実施の形態１にかかる端末位置推定処理の概念を示す図である。ここで、情報処理装置１０は、各局所領域（Ａｒｅａ１〜Ａｒｅａ３）におけるＣｅｌｌ−Ａ（基地局２１）、Ｃｅｌｌ−Ｂ（基地局２２）及びＣｅｌｌ−Ｃ（基地局２３）から受信されると予測されるＲＦ予測情報１０４５をＲＦシミュレーションにより算出した又は予め有するものする。また、情報処理装置１０は、各端末（ＵＥ１〜ＵＥ３、無線端末３１〜３４）におけるＣｅｌｌ−Ａ、Ｃｅｌｌ−Ｂ及びＣｅｌｌ−Ｃから測定されたＲＦレポート（ＲＦ実測情報１０４６）を収集した又は予め有するものとする。また、図６の右下の斜線部は、情報処理装置１０により無線端末が存在することが特定された各局所領域を示す。但し、図６に記載された当該斜線部と無線端末３１〜３４の数及び配置とは対応していないものとする。
【００４８】
以上のように、本発明の実施の形態により、セル内でのＨｏｔｓｐｏｔ、すなわち実端末が多く存在するスポット（局所領域）を効率的に特定することができる。また、この際、既存端末（ユーザ）にインパクトなく（端末に高機能を要求することなく、すなわち、影響を与えず、）、かつ走行試験等の手間をかけることなく実施することができる。このように、効率的にＨｏｔｓｐｏｔを特定することで、特に基地局増設時のＲＦ設計に係るＯＰＥＸ（Operating Expense）の削減が可能となる。
【００４９】
＜その他の発明の実施の形態＞
本発明の実施の形態は、次のように表現することもできる。すなわち、各基地局と接続されているサーバ（ＲＦシミュレーションサーバ等）でＲＦシミュレーションを実施し、ここで得た詳細地点（局所領域）毎のＲＦデータ（ＲＦ予測情報）と、各無線端末から報告されたＲＦ実測情報とを照合することで、各詳細地点毎に存在する無線端末数を予測する。
【００５０】
または、各基地局は、任意のサーバと接続されており、当該サーバにはＲＦシミュレーション結果として各地点（局所領域）毎のＲＦデータ（ＲＦ予測情報）が予め保存されている。一方、無線端末が基地局に送出するレポートには、それぞれＲＦ実測情報（自セル・隣接セルの電波強度／品質等）を含んでおり、これをサーバが基地局経由で収集する。ここで得た端末毎のＲＦ情報と、サーバにある各地点毎のＲＦ情報を照会させることで、各スポットに存在する端末数を予測することができる。
【００５１】
本発明は、例えば、ＬＴＥ（Long Term Evolution）、ＷＣＤＭＡ（登録商標）（Wideband Code Division Multiple Access）、ＧＳＭ（登録商標）（Global System for Mobile Communications）をはじめとする各移動通信システムでの適用が可能である。そして、基地局の増設や他システムの新規導入時において、現ネットワークの端末エリア分布を把握する際の利用が考えられる。
【００５２】
さらに、本発明は上述した実施の形態のみに限定されるものではなく、既に述べた本発明の要旨を逸脱しない範囲において種々の変更が可能であることは勿論である。例えば、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【００５３】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、ＤＶＤ（Digital Versatile Disc）、ＢＤ(Blu-ray(登録商標) Disc)、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５４】
以上、実施の形態を参照して本願発明を説明したが、本願発明は上記によって限定されるものではない。本願発明の構成や詳細には、発明のスコープ内で当業者が理解し得る様々な変更をすることができる。
【００５５】
この出願は、２０１３年８月３０日に出願された日本出願特願２０１３−１７８８３１を基礎とする優先権を主張し、その開示の全てをここに取り込む。
【符号の説明】
【００５６】
１００  無線通信システム
１０  情報処理装置
１１  照合手段
１２  集計手段
Ｎ  ネットワーク
２１  基地局
２２  基地局
２３  基地局
３１  無線端末
３２  無線端末
３３  無線端末
３４  無線端末
１０１  ＣＰＵ
１０２  メモリ
１０３  通信部
１０４  ハードディスク
１０４１  プログラム
１０４２  セル情報
１０４３  局所領域情報
１０４４  端末情報
１０４５  ＲＦ予測情報
１０４６  ＲＦ実測情報
【図１】
2015029282.tif 000003
【図２】
2015029282.tif 000004
【図３】
2015029282.tif 000005
【図４】
2015029282.tif 000006
【図５】
2015029282.tif 000007
【図６】
2015029282.tif 000008
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
複数の無線端末ごとに測定された信号の受信情報を示す複数の実測情報と、複数の局所領域ごとに任意の前記無線端末における前記受信情報として予測された複数の予測情報と、を照合する照合手段と、
前記複数の実測情報のうち前記予測情報と所定の範囲内である実測情報が測定された前記無線端末の数を、前記複数の局所領域ごとに集計する集計手段と、
を備える情報処理装置。
【請求項２】
前記受信情報は、複数の種類の実測値の組み合わせであり、
前記照合手段は、
前記複数の実測情報と前記複数の予測情報との間で、前記組み合わせの一致度合いに基づき、前記予測情報が前記実測情報の所定の範囲内であるか否かを判定する
請求項１に記載の情報処理装置。
【請求項３】
前記実測情報は、前記無線端末当たりに前記受信情報が測定された複数のセルと、各セルにおける前記受信情報との組み合わせを含み、
前記予測情報は、前記局所領域当たりに任意の前記無線端末と送受信可能であると予測された複数のセルと、各セルにおける前記受信情報との組み合わせを含み、
前記照合手段は、
前記複数の予測情報と前記複数の実測情報との間で、前記複数のセルの組み合わせが一致し、かつ、当該一致するセル同士のそれぞれに対応する前記受信情報の一致度合いに基づき、前記予測情報が前記実測情報の所定の範囲内であるか否かを判定する
請求項１又は２に記載の情報処理装置。
【請求項４】
前記集計手段は、
前記複数の実測情報のうち前記予測情報と所定の範囲内である実測情報における前記無線端末を、当該予測情報における前記局所領域に対応付け、
前記複数の局所領域ごとに、前記対応付けられた前記無線端末の数を集計する
請求項１乃至３のいずれか１項に記載の情報処理装置。
【請求項５】
前記受信情報は、ＲＳＲＰ（Reference Symbol Received Power）、ＲＳＲＱ（Reference Symbol Received Quality）又はＲＳＳＩ（Received Signal Strength Indicator）の少なくともいずれかを含む、
請求項１乃至４のいずれか１項に記載の情報処理装置。
【請求項６】
前記複数の実測情報を、前記複数の無線端末のそれぞれから収集する収集手段、をさらに備え、
前記照合手段は、
前記収集手段により収集された前記複数の実測情報と、前記複数の予測情報と、を照合する
請求項１乃至５のいずれか１項に記載の情報処理装置。
【請求項７】
前記複数の局所領域ごとに任意の前記無線端末における前記受信情報を前記複数の予測情報として予測する予測手段と、をさらに備え、
前記照合手段は、
前記複数の実測情報と、前記予測手段により予測された前記複数の予測情報と、を照合する
請求項１乃至６のいずれか１項に記載の情報処理装置。
【請求項８】
複数の無線端末と、
前記複数の無線端末の少なくもいずれかと通信可能な複数の基地局と、
前記複数の基地局と通信可能な情報処理装置と、を備え、
前記情報処理装置は、
前記複数の無線端末ごとに測定された信号の受信情報を示す複数の実測情報と、複数の局所領域ごとに任意の前記無線端末における前記受信情報として予測された複数の予測情報と、を照合する照合手段と、
前記複数の実測情報のうち前記予測情報と所定の範囲内である実測情報が測定された前記無線端末の数を、前記複数の局所領域ごとに集計する集計手段と、を備える
無線通信システム。
【請求項９】
情報処理装置を用いて複数の無線端末の位置を推定する端末位置推定方法であって、
前記情報処理装置が、
複数の無線端末ごとに測定された信号の受信情報を示す複数の実測情報と、複数の局所領域ごとに任意の前記無線端末における前記受信情報として予測された複数の予測情報と、を照合し、
前記複数の実測情報のうち前記予測情報と所定の範囲内である実測情報が測定された前記無線端末の数を、前記複数の局所領域ごとに集計する、
端末位置推定方法。
【請求項１０】
複数の無線端末ごとに測定された信号の受信情報を示す複数の実測情報と、複数の局所領域ごとに任意の前記無線端末における前記受信情報として予測された複数の予測情報と、を照合する照合処理と、
前記複数の実測情報のうち前記予測情報と所定の範囲内である実測情報が測定された前記無線端末の数を、前記複数の局所領域ごとに集計する集計処理と、
をコンピュータに実行させる端末位置推定プログラム。
【手続補正２】
【補正対象書類名】明細書
【補正対象項目名】００２８
【補正方法】変更
【補正の内容】
【００２８】
そして、これらの場合、情報処理装置１０は、以下の構成を備えるものとする。すなわち、情報処理装置１０は、複数の実測情報を、無線端末３１〜３４のそれぞれから収集する収集手段（不図示）、をさらに備える。この場合、照合手段１１は、前記収集手段により収集された複数の実測情報と、複数の予測情報と、を照合する。また、情報処理装置１０は、複数の局所領域ごとに任意の無線端末における受信情報を複数の予測情報として予測する予測手段と、をさらに備える。この場合、照合手段１１は、複数の実測情報と、前記予測手段により予測された複数の予測情報と、を照合する。尚、収集手段及び予測手段は、必ずしも必須ではなく、いずれか一方でもよい。その場合、実測情報又は予測情報が予め情報処理装置１０に与えられていればよい。
【手続補正３】
【補正対象書類名】明細書
【補正対象項目名】００３０
【補正方法】変更
【補正の内容】
【００３０】
ハードディスク１０４は、不揮発性記憶装置である。ハードディスク１０４は、ＯＳ（不図示）、プログラム１０４１、セル情報１０４２、局所領域情報１０４３、端末情報１０４４、ＲＦ予測情報１０４５及びＲＦ実測情報１０４６等を格納する。ここで、プログラム１０４１は、本発明の実施の形態１にかかる端末位置推定処理（例えば、後述する図５の処理）等が実装されたコンピュータプログラムである。尚、ハードディスク１０４は、プログラム１０４１とは別に、ＲＦカバレッジ推定プログラム等のＲＦシミュレーションプログラム（不図示）を格納してもよい。
【国際調査報告】
2015029282.tif 000009
2015029282.tif 000010